(57)【特許請求の範囲】
【請求項１】
背負い具の下端部近傍のほぼ全幅にわたる横幅を有し、背中に沿った面が背中の形状に応じた形状の一つの凹曲面のみを形成した補助具であって、当該補助具の厚みにより背中の間の上部に空間を有するようにし、前記背負い具に沿った面は前記背中に沿った面に対して傾斜しており、前記背中に沿った面を背中に当てると対向する前記背負い具に沿った面が前記背負い具下端部の背中側近傍に沿い、前記背負い具は上部が体側に傾き下部が離れ斜めの姿勢となるように、前記背中に沿った面と前記背負い具に沿った面との間隔が、下方から上方に向かって狭くなることを特徴とする背負い具の補助具。
【請求項２】
背負い具の下端部近傍のほぼ全幅にわたる横幅を有し、背中に沿った面が背中の形状に応じた形状の曲面を形成した補助具であって、当該補助具の厚みにより背中の間の上部に空間を有するようにし、前記背負い具に沿った面は前記背中に沿った面に対して傾斜しており、前記背中に沿った面を背中に当てた際に、前記背負い具の上部が体側に傾き、下部が体から離れ斜めの姿勢となるように、前記背負い具に沿った面と前記背中に沿った面との間隔が、下方から上方に向かって狭くなり、さらに前記背中に沿った面と直交する面のうちの一つの面が背中の形状に応じた形状の曲面に形成されていることを特徴とする背負い具の補助具。
【請求項３】
中に小物を挿入できるように空間を設けることを特徴とする請求項１又は２に記載の背負い具の補助具。
【請求項４】
空気を入れ膨らませることが可能であることを特徴とする請求項１から３のいずれか１項に記載の背負い具の補助具。
【請求項５】
請求項１から４のいずれか１項に記載の背負い具の補助具を備えていることを特徴とする背負い具。

【発明の詳細な説明】
【技術分野】
【０００１】
本発明は、背負い具を背負う際に背負い具下端部の背中側と背中との間に備え、背負い具の重量を肩と背中に分散させる背負い補助具に関する。
【背景技術】
【０００２】
従来考案のものは、押しバネを背中とリュックサックの下端部近傍の間に挟み、蒸れないように考えたものであった。背中にあたる部分がバネ状でもろに体に当たるため、痩せた人や皮膚の弱い人にはつらいものであった。また、蒸れを防ぐ目的のため、リュックサックの重量をしっかり受け止め、体に逃がす形状にはなっていなかった（特許文献１）。
また、リュックサックを背負った時に蒸れやすくなるのを防止するためのスペーサーを人体との間に挟むものがあるが、隙間を設けるためだけの形状であった。（特許文献２）
【先行技術文献】
【特許文献】
【０００３】
【特許文献１】特開２０１５−２９７２８号公報
【特許文献２】特開２００４−３２９８０１号公報
【発明の概要】
【発明が解決しようとする課題】
【０００４】
背中と背負い具との間に空間をあけるものは考案されていたが、蒸れを防ぐためのものであった。重たい背負い具を背負ったり長時間背負うと、肩に重みを感じ辛い思いをする人が多かったにもかかわらず、重量を軽減できるように工夫された形状のものはなかった。押しバネを使ったりスペーサーを挟んだりして、涼しさを求めるものでしかなく、バネがむき出しのものもあり、体の弱い人や長時間の使用には向いていなかった。
それらを解消する、肩と背中に背負い具の重量を分散して肩の負担を軽減する背負い具の補助具を本発明で提供する。
【課題を解決するための手段】
【０００５】
背負い具を背負った状態で、背負い具の下端部の背中側と背中の間に備える。背中に沿った面を備え、前記背中に沿った面は背中の形状に応じた形状の曲面に形成されることを特徴とする背負い具の補助具。
【０００６】
背負い具に沿った面を備えることを特徴とする背負い具の補助具。
【０００７】
背中に沿った面と背負い具に沿った面の間隔が、下方から上方に向かって狭くなることを特徴とする背負い具の補助具。
【０００８】
背中に沿った面と直交する面のうちの一つの面が背中の形状に応じた形状の曲面に形成されることを特徴とする背負い具の補助具。
【０００９】
前記一つの面と、前記一つの面と対向する面の間隔が、一側から他側に向かうに従って狭くなることを特徴とする背負い具の補助具。
【００１０】
空気を入れ膨らませることが可能であることを特徴とする背負い具の補助具。
【００１１】
中に小物を挿入できるように空間を設けることを特徴とする背負い具の補助具。
【００１２】
表面に滑り止め機能を持たせることを特徴とする背負い具の補助具。
【００１３】
前記背負い具の下端部の背中側の近傍に装着されていることを特徴とする背負い補助具を備えていることを特徴とする背負い具。
【発明の効果】
【００１４】
背負い具を背負った状態で、背負い具下端部の背中側と背中との間に背負い具の補助具を挟むことで、背負い具の重量が背負い具の補助具を介して、背中に伝わる。背負い具の重量を肩と背中に分散できる。背中に沿った面を備えることで、背中にあたる違和感がなく背中にフィットし、より重量を受け止め背中に逃がすことができ、肩に係る重量を軽減できるので肩の負担を減らすことができる。
【００１５】
背負い具の補助具に背負い具に沿った面を備えることで、より背負い具の重量を受け止めやすくし、背負い具の重量を背中にも分散でき、肩の辛さを軽減できる。
【００１６】
背中に沿った面と背負い具に沿った面の間隔が、下方から上方に向かって狭くなることにより、より背負い具の上部が体の方に傾き、下部が体から離れる。それにより、背負い具の反り返りを防ぎ、肩紐を後方に引っ張られる感覚がなくなり、楽に背負うことができる。背負い具の傾斜をつけることで、背負い具の補助具を介して背負い具の重量が背中に伝わりやすくなり、背負い具の重量を肩と背中に分散させ、肩の辛さを軽減できる。
【００１７】
背中に沿った面と直交する面のうちの一つの面も背中の形状に応じた形状の曲面にすることによって、背中と背負い具の下端部の背中側との間隔を、広い方にも狭い方にも変えることができる。間隔を広げるために、背負い具の補助具の広い面が水平になるようにしながら、背中に沿った面を背中に当てて、背負い具の上部が体の方に傾くように挟む。そうすることで背負い具の上部が体の方に傾く角度が大きくなり、より重量が背負い具の補助具にかかり背中にもかかる割合が増える。また、背負い具の補助具の狭い面を水平になるようにし、背中に沿った面を背中に当て、背負い具の上部が体に傾くように面を置き変えると、背負い具の傾きが小さくなり、背中にかかる重量が減る。この様に、背負い具の重量や自分の背負い心地によって背中に当てる面を使い分けることができる。
【００１８】
前記一つの面と前記一つの面と対向する面の間隔が、一側から他側に向かうに従って狭くなるようにすると、背中に沿う面と背負い具に沿う面の組が二組できる。背中と背負い具の下端部の背中側の間隔を狭くしたり広くしたりするために、水平になる面を狭い面か広い面かで使い分けることができる。その間隔の違いで背負い具の傾斜が変わり、背中に分散される背負い具の重量も変わる。その時の背負い具の重量に合わせ、背負い心地や自分の好みで間隔を選ぶことができる。
【００１９】
空気を入れ膨らませることが可能であることを特徴とする背負い具の補助具にすることで、必要な時に膨らませ、使わない時には空気を抜きコンパクトに持ち運びすることができる。
【００２０】
形状を維持し、背負い具の重量を受けれる強度を保ちながら、背負い具の補助具の中に空間を設けると、ポシェット代わりに中に傘、財布、タオルなどの小物を収納でき便利である。
【００２１】
背負い具の補助具の表面に滑り止め機能を持たせることで、衣服の背中や背負い具が滑らず、より背負い具の重量を受け止めやすくすることができる。背負い具の補助具の表面がスルスル滑りやすいと、その重量を逃がしてしまいがちなので効果的である。
【００２２】
背負い具の下端部の背中側近傍に背負い具の補助具が初めから装着されていることで、より背中に背負い具の重量を逃がすことができ、背負い具の重量を肩と背中に分散できる。また、見た目もシンプルであり、取り付け具で背負い具の補助具を取り付ける必要がないのでブラブラしない。
【図面の簡単な説明】
【００２３】
【図１】背負い具の補助具の第１実施形態の斜視図
【図２】２−１は、Ａ面からみた図２−２は、Ａ’面からみた図
【図３】３−１は、Ｂ面からみた図３−２は、Ｂ’面からみた図
【図４】４ー１は、Ｃ面からみた図４−２は、Ｃ’面からみた図
【図５】背負い具の補助具の第２実施形態の斜視図
【図６】６−１はＡ面からみた図６−２はＡ’面から見た図
【図７】７-１はＢ面からみた図７−２はＢ’面からみた図
【図８】８−１はＣ面からみた図８−２はＣ’面からみた図
【図９】背負い具の補助具に取り付け具、滑り止め、カバーを付けた斜視図
【図１０】背負い具の補助具の第１の使用例
【図１１】背負い具の補助具の第２の使用例        （背負い具と背中との間隔をしっかり開けたいときの使用例）
【図１２】背負い具の補助具を背負い具に取り付けた時の実施例１２−１背負い具の下端部の背中側近傍で、肩紐の下端に取り付け具で取り付         けた実施例    １２−２  背負い具の下端部の背中側近傍に、伸縮する網を設けて背負い具の補助具を挿入して使用できるようにした実施例
【図１３】初めから背負い具の下端部の近傍に背負い具の補助具を装着した実施例                  １３−１背負い具の背中に接する側からみた実施例          １３−２背負い具の側面からみた実施例
【図１４】背負い具の補助具を腰のベルトにつけ背中側に配置するようにつけた実施例
【図１５】背負い具の補助具の形状や強度を維持しながら、中に空間を設けた実施例
【図１６】背負い具の補助具をほぼ直方体以外の形にした実施例          （背中に沿った面や背負い具に沿った面を備えるが、その間はくびれている実施例）
【図１７】背負い具の補助具にベルトを付け、背負い具が乗るような突起を補助具に        つけた側面図
【発明を実施するための形態】
【００２４】
背負い具の補助具１は、ほぼ直方体であり、背中に沿った形状の曲面や背負い具８に沿った面を有し（図１、図５）、背負い具８下端部の背中側と背中の間に挟めるようになっている（図１０、図１１）。
【００２５】
背負い具の補助具１の両側面（Ｃ面，Ｃ’面）の中央あたりに取り付け具２を備える（図９）。取り付け具２で背負い具８の肩紐５の下端部あたりに両側を取り付け（図１２  １２−１）、背負い具８下端部の背中側近傍と背中との間に背負い具の補助具１を挟んで背負う（図１０、図１１）。背負い具の補助具１の全面にカバー３をつける（図９）と、泥や汗で汚れた時に取りはずして洗うことができ、衛生的に使用できる。取り付け具２は、背負い具の補助具１に直接つけるだけでなくカバー３に取り付けたり、背負い具の補助具１の中を通してつけてもよい。
【００２６】
図１に示す第１実施形態の場合、互いに対向するＡ面及びＡ’面、互いに対向するＢ面及びＢ’面、並びに互いに対向するＣ面及びＣ’面を備えている。
Ａ面は一番広い面で、背中の形状に沿った曲面に形成され、Ａ’面は背負い具８に沿った形状に形成されている。背中にＡ面を当てた場合、Ｂ面は上面でＢ’面は下面となる。またＣ面及びＣ’面は、Ａ面及びＡ’面の側面となる。
Ａ面は左右の端部よりも中央部が背中の形状に合うようにへこんでいる曲面である。
背負い具８に沿ったＡ’面は、背負い具８が背負った時に反り返らず、背負い具８の上部が体側に傾き下部が体から離れるように傾斜した姿勢になっている。そのため、背中に沿ったＡ面と背負い具に沿ったＡ’面の間隔が、下方から上方に向かって狭くなるようになっているので、Ｃ及びＣ’面もそのように上方に向かって狭くなっている形状である。
【００２７】
図５に示す第２実施形態は、互いに対向するＡ面及びＡ’面、互いに対向するＢ面及びＢ’面、並びに互いに対向するＣ面及びＣ’面を備えている。第２実施形態の場合は、Ｂ面は背中に沿った曲面で、Ｂ’面は背負い具８に沿った面を備えており、図１０の様に、Ａ面とＡ’面で使う場合と、図１１の様に、Ｂ面とＢ’面で使う場合の二組の背中に沿う面と背負い具９に沿う面を対向して有する。
辺ａは、辺ｂよりも長い。また辺ｂ’は辺ｂより長い。
使用方法は第１の使用例（図１０）として、背負い具の補助具１のＡ面を背中に沿わせ、Ａ’面を背負い具８に沿わせ、背負い具８を背負う。背負い具８が傾斜して、背負い具の補助具１を介して背負い具８の重量が背中にかかり、肩にかかる重量が軽減され、背中と重量が分散されることになる。
また、第２の使用例（図１１）として、Ｂ面を背中に沿わせ、広い面のＡ面を上に水平に
挟むと、背負い具８下端部の背中側と背中との間隔が、第１の使用例（図１０）より広くなる。よって、図１の第１実施形態の時よりも背負い具８の傾斜が大きく、Ｂ面に背負い具８の重量がかかりやすくなり、背中により重量が分散される。第２実施形態は、第１の使用例（図１０）でも第２の使用例（図１１）でも使用できる。
この様に、背負い具８下端部と背中との距離を離すかどうかを面の選択でし、自分の背負い具８の背負い心地の快適を求めることができる。
【００２８】
背負い具の補助具１の背中に沿った面を背中に当てる。その時対向する背負い具８に沿う面が背負い具８下端部の背中側近傍に沿い、背負い具８は上部が体側に傾き、下部が離れ斜めの姿勢となる。従って、背負い具８と背中との間隔が下方から上方に向かって狭くなる。
【００２９】
背負い具の補助具１の素材は、背負い具８の重量を受け止める強度があり、軽量な材質で、発泡スチロール、スポンジ、プラスチック、又は樹脂などが考えられる。軽さや堅さ度合いから見ると発泡スチロールが好ましい。
【００３０】
背中に沿う面と、背負い具８が傾斜するように斜めにした背負い具に沿った面とが対向するようにしたものが、第１実施形態の場合は一組だけであり、第２実施形態の場合は二組であるが、他の面も使うと三組とすることもできる。二組や三組の場合、地面と水平に、背負い具８と背中との間が広くなる面を水平に挟むほど背負い具８の傾斜が大きくなる（図１１）。傾斜が大きくなるほど、背中に当たる部分にかかる重量の割合が大きくなり、肩の負担が少なくなる。自分の好みで背負い具８と背中との間隔を作り出す背負い具の補助具１の面を選択して、どの面を背中に当てると楽であるか選ぶとよい。
【００３１】
背負い具の補助具１を使用する際に、両側面の中央に取り付け具２をつけることもできる（図９）。その際には取り付け具２の一部をゴムなどにし多少伸縮できるようにすると、背中と背負い具８下端部の背中側の間隔を変えようと、背負い具の補助具１の面を変えるのに伸び縮みして変えやすい。取り付け具２を付けることで、背負い具８の肩紐５の下端部に背負い具の補助具１を簡単に着脱できる。背負い具の補助具１が不必要な時は簡単に外すことができ便利である。
【００３２】
背負い具の補助具１の形状を維持できるのであれば、空気の出し入れが可能であったり、折り畳み可能にしたりできるような構成にすると、使わない時はコンパクトになるので持ち運びに便利である。空気を入れて膨らます際には、背負い具８の重量を受け止めれる強度を保持できるビニルやゴムの材質でもよい。
【００３３】
背負い具の補助具１の形状や、背負い具８の重量を受け止める強度を維持でき軽量であれば、図１５の様に背負い具の補助具１の中に空間１０を設け、貴重品、傘やタオルなどの小物が入るようにすることも可能である。カバーにチャックなどをつけておくと容易に出し入れでき便利である。
【００３４】
背負い具の補助具１の表面やカバー３の上に滑り止め４などを巻いたり貼ったりしておく（図９）と、背中の衣服や背負い具８が滑らず、より効果的に背負い具８の重量を背負い具の補助具１を介して背中に受けることができる。滑り止め４は、マットの下にひく滑り止めなどのような凹凸のある、シリコンシートや塩化ビニル樹脂などを使用すると滑りにくいが、滑り止め効果のあるものならばその他の材質や方法でもよい。
【００３５】
図１２の１２−２の様に、背負い具の補助具１に取り付け具２をつけず、背負い具８の下端部の背中側に伸縮性のネット７を張りそこに背負い具の補助具１を挿入することもできる。その他、背負い具８下端部の背中側近傍と背中との間に挟め、背負い具８の重量が受けやすければ、他の方法で背負い具の補助具１を取り付けてもよい。
【００３６】
背負い具の補助具１の使用と共に、背負い具８の肩紐５の胸元のベルト６で肩紐同士の幅が広がらないようにしておく（図１２の１２−１参照）と、より肩にかかる重量負担軽減に効果的である。
【００３７】
図１３の様に、初めから背負い具８下端部の背中側近傍に背負い具の補助具１を装着した背負い具８も効果的である。背負い具８の背中にあてる面の下端部の内側に、背負い具の補助具１を背中に沿った面が外側にくる様に装着し、背負い具８の背中にあてる面をかぶせて縫製する。背負い具の補助具１が背中に当たる際に安定感があり、背負い具８の重量を背中にしっかりとかける事ができる。また取り付け具２で取り付ける手間もなく、ぶらぶらしない。中を、空気の出し入れで大きさを調節できるような構造にしておくと、自分に合った大きさにできる。
【００３８】
背負い具の補助具1にベルト９をつけたり、ズボン等のベルト９に背負い具の補助具１を取り付けてもよい。その際には、背中側に背負い具の補助具１が来るように配置し（図１４）、背負い具８下端部の背中側との間に挟むと同じ効果が得られる。その時、背負い具の補助具１下端部に背負い具８をしっかり載せれるような突起１１も取り付けておく（図１７）と、より確実に背負い具８の重量を受け、重量を背中や腰にも分散できる。
【００３９】
背負い具の補助具１の形状をほぼ直方体にする他に、背中に沿った面や背負い具８に沿った面を有し、背負い具８の重量が受け止めることができる強度があり軽量であれば、その面の間をくびれさせる（図１６）など他の形状も可能である。それによって、デザイン性も展開できる。
【００４０】
背負い具の補助具１を一つに限らず複数つけることもでき、自分に合った楽な背負い方を見つけることができる。例えば、背負い具の補助具１を取り付け具２で背負い具８の肩紐５の下端部の両側に取り付けるが、背負い具の補助具１を二つを重ねて挟んだり、背中との間に縦に複数個並べて挟んだりもできる。
また、背負い具８の大きさに応じて背負い具の補助具１の大きさを変えるとよい。
【００４１】
背負い具の補助具１を背負い具８下端部の背中側近傍と背中との間に挟むことで、挟んだ背負い具の補助具１の上の背中部分に空間が空く。そのため、背負い具８と背中の密着を防ぐことができ、蒸れを防ぐことができる。リュックを背負うと真夏など背中の密着部分が汗びっしょりになるが、背負い具の補助具１を使用すると快適に背負うことができる。
【００４２】
背負い具の補助具１の背中に当たる面に適度に弾力のある凸凹を設けることも効果的である。背中のツボに合わせる形状にすると、歩くリズムで押されマッサージ効果も期待できる。背負い具の補助具１のカバーをやや柔らかい生地で背中に沿う面と背負い具に沿う面を設けてチャックをつけ、中に空気の入ったボールを数個入れておくのも同じような効果を得られる。
【００４３】
背負い具８を背負った時に、背負い具８がお尻くらいまでの長さがあると、背負い具の補助具１に背中に沿った面があるので、お尻の出っ張りの上辺りに背負い具の補助具１の背中に沿った面を載せ気味にでき、すわりが良く安定する。より背負い具８の重量を受け止めやすくできる。
【００４４】
色や形を考えると、アウトドア用のリュックサックの他、作業用の背負い具、ランドセル、通学用のリュックサック、又は女性用のおしゃれなタウン用のリュックサックなどにも対応することができる。細いものや大きいもの等、使う人の必要に応じた形が可能であり、洋服や背負い具に合わせた色合わせもできるし、デザイン性も付加できる。
【００４５】
簡単な仕組みで軽いので、重みを感じることなく気楽に使うことができる。
【００４６】
背負い具８と背中との間に背負い具の補助具１を挟むので、走った時や飛び降りた時などに背中に背負い具８が当たる衝撃を軽減することができる。災害などの緊急避難時にも役立つことができる。
【００４７】
通学に通う子供や学生などは、毎日の行き帰りに重い背負い具８を背負う。背負い具８の重量を肩だけでなく背中にも分散することで、体の不調の元になる肩こりを軽減することができる。
【００４８】
背負い具の補助具１は取り外し可能で、軽くほぼ直方体のため、取りはずした時に小さな枕代わりに使用することもできる。アウトドア活動の際にテントなどで横になって寝る時はもちろん、会社や学校の休憩時机にうつぶせになっての短時間昼寝にも使用できる。
【産業上の利用可能性】
【００４９】
通勤通学でのリュックサック、タウンでのおしゃれリュック、ランドセル、農作業などで使う背負子（しょいこ）、登山などいろいろな種類の背負い具に背負い具の補助具を用いることができる。
最近ではリュックサックが流行っており、老若男女が背負っているのをよく見かける。背負い具を使用すると両手が空くため、さらに他の荷物を持ったり、財布を出してお金を支払ったりなど他の作業もでき便利である。
しかし、高齢者や重たい荷物を背負う人などが長時間背負うと肩が痛くて辛いということをよく聞く。その背負い具の苦痛を軽減できると快適に背負い具を使用することができる。
これからの超高齢化社会では老老介護も増え、自分の事は自分でする必要がでてくるので、背負い具を背負うことが今後も増えてくると予想される。また昨今、災害や地震が多発している。緊急避難の際など、持てる限りの財産や必要な物を背負うこともある。そんな時本発明の背負い具の補助具は、肩の負担を背中と分散できるので身体の疲れも軽減でき、走ったり飛び降りたりする際にも背中への背負い具の衝撃が緩和される上に、暑い時の背中の蒸れ対策にもなるので非常に役立つことができる。
身体への負担を考慮した、優しい発明である。
【符号の説明】
【００５０】
１      背負い具の補助具
Ａ      背中に沿った面（第２の使用例の場合は、上面）
Ａ’    背負い具に沿った面（第２の使用例の場合は、下面）
Ｂ      上面（第２の使用例の場合は、背中に沿った面）
Ｂ’    下面（第２の使用例の場合は、背負い具に沿った面）
Ｃ      側面 
Ｃ’    側面
２      取り付け具
３      カバー
４      滑り止め
５      背負い具肩紐
６      胸元のベルト
７      伸縮性のあるネット
８      背負い具
９      ベルト
１０      背負い具の補助具の中の空間
１１      突起
【要約】      （修正有）【課題】重たい物や長時間背負ったりすると、肩の辛さを感じることがある。また、背負い具が反りかえって背負い具の上部が体から離れ、後方に反り返ることで肩が引っ張られることもある。背中と背負い具の下端部の背中側の間に挟む形状を考えることで、背負い具重量の肩への負担を軽減する。【解決手段】背負い具を背負った状態で、背中と背負い具の下端部の背中側の間に備え、背負い具の重量を肩と背中に分散させる背負い具の補助具である。背中に沿った曲面や背負い具に沿った面を備え、背負い具の補助具の上部が下部より狭く、背負い具が体側に倒れるようになる形状であることを特徴とする。また背負い具の補助具の上に空間が空くので、背中の蒸れ対策にも対応でき快適に背負える。老若男女、いろいろな場面で背負う機会は多い。通学、登山、高齢者が快適に背負い具を背負えるので、災害時の緊急避難時などにも役立つ背負い具の補助具である。【選択図】図１【図１】
0006040432.tif 000002
【図２】
0006040432.tif 000003
【図３】
0006040432.tif 000004
【図４】
0006040432.tif 000005
【図５】
0006040432.tif 000006
【図６】
0006040432.tif 000007
【図７】
0006040432.tif 000008
【図８】
0006040432.tif 000009
【図９】
0006040432.tif 000010
【図１０】
0006040432.tif 000011
【図１１】
0006040432.tif 000012
【図１２】
0006040432.tif 000013
【図１３】
0006040432.tif 000014
【図１４】
0006040432.tif 000015
【図１５】
0006040432.tif 000016
【図１６】
0006040432.tif 000017
【図１７】
0006040432.tif 000018